(57)【要約】【課題】  積雪地帯でも使用でき、万一の時、背の高い車両も通行可能となる昇降式門扉を提供することを目的とする。【解決手段】  左右に立設された２本の支柱のみで支柱を構成し、その支柱間に昇降可能な門扉を配置し、その門扉を脱着可能とした。【選択図】  図１
2005023768.tif 000002
【特許請求の範囲】
【請求項１】
左右に立設した支柱間に昇降可能な門扉を配置する構成であって、前記支柱の対向する内側の垂直方向にガイドレールを設け、該ガイドレールに沿って昇降自在に動くガイドブロックを係合し、前記門扉をガイドブロックに固着するともに、支柱に設けた駆動機構をガイドブロックに連係させ、門扉を昇降可能にしたことを特徴とする昇降式門扉。
【請求項２】
前記門扉の左右の高さバランスを保つバランス保持機構を有したことを特徴とする請求項１記載の昇降式門扉。
【発明の詳細な説明】
【技術分野】
【０００１】  この発明は、事業所や店舗、公共施設等の駐車場の出入口に設ける門扉に関するものである。
【背景技術】
【０００２】  従来から、駐車場の出入口には門扉が設けられ、車両等の進入を制限していた。これまでの門扉の多くは、門扉が地面に敷設されたレールに沿って横にスライドする、または、立設された支柱を軸に門扉が回動するものであった。このような門扉は積雪地帯においては周辺の雪を除雪した後、門扉を開く必要があり不便であった。【０００３】  そこで、これらを改善した図３のような昇降式門扉があった。支柱を門型に設置、つまり、左右に支柱１・１を立設させ、その支柱の上端に上部水平支柱８を連結し、門型形状の支柱を構築し、左右に立設した支柱間を昇降可能な門扉を配置するものである。
【発明の開示】
【発明が解決しようとする課題】
【０００４】  しかし、門扉が降り閉じた状態でも頭上に上部水平支柱８が横たわり、外観を損ね圧迫感があるとともに、万一、上部水平支柱８より高い車両を進入させる必要が出てきても、上部水平支柱を取り外さない限り無理であった。
【課題を解決するための手段】
【０００５】  そこで上記の課題を解決するために、この発明の昇降式門扉は、左右に立設した支柱間に昇降可能な門扉を配置する構成であって、支柱と、ガイドレールと、ガイドブロックと、駆動機構と、門扉とからなり、該支柱は左右に立設された２本の支柱のみで構成し、その支柱の対向する内側の垂直方向にガイドレールを設け、そのガイドレールに沿って昇降自在に動くガイドブロックを係合し、門扉をガイドブロックに固着するとともに、支柱に設けた駆動機構をガイドブロックに連係させ、門扉を昇降可能にした。【０００６】  さらに、左右の高さのバランスを保ちながら、門扉を昇降させるためのバランス保持機構を設けた。
【発明の効果】
【０００７】  上部水平支柱を省略したぶん外観形状が改善され、門扉を取り外せば高さ制限のない車両通行ができる。
【実施例】
【０００８】  次に本発明の実施例を図に基づいて詳細に説明する。【０００９】  図１は、本発明の一実施例である昇降式門扉の正面図である。図２は、図１のＡ−Ａ平面断面図であり、支柱を上方方向から眺め、図１の門扉が上昇し、ウエイトが下降して、門扉とウエイトの高さが平行な時の断面図である。本発明に重要な部分を抜き出し図示してある。【００１０】  この図の昇降式門扉は、前記説明のとおり、左右に立設された支柱１・１と、支柱１・１の対向する内側の垂直方向にガイドレール２をそれぞれ設け、ガイドレール２に沿って昇降自在に動くガイドブロック３・３を左右にそれぞれ係合し、門扉４をガイドブロック３・３に固着するとともに、支柱に設けた駆動機構をガイドブロック３に連係させ、門扉４を昇降可能にしている。【００１１】  さらに具体的に説明する。支柱１は、下部の一部を地中に埋め込みコンクリート等で廻りを固め基礎にして、左右に垂直に立設する。これを正面として、側面から見て支柱１・１の対向する内側の垂直方向の左右に、ガイドレール２・２を設け、ガイドブロック３は、ガイドフレーム５とガイドローラ６からなり、ガイドフレーム５に取り付けられた複数個からなるガイドローラ６・６を挟み込んで係合し、もう一方の支柱１も同様にガイドブロック３を係合して、昇降自在とする。【００１２】  また、ガイドレール２・２とは別に、ウエイト２２も昇降自在に動くよう、支柱１・１の内部に、ガイドレール２５・２５を設け、ウエイト２２に取り付けられた複数個からなるガイドローラ２６・２６を挟み込んで係合する。【００１３】  門扉４は、角型軽量鋼材等で格子状に形成され、ガイドブロック３に複数個のボルト・ナット７・７・７・・・などのネジ類で固着し、脱着可能とする。【００１４】  駆動機構は、左右いずれかの支柱１に設けられ、手動で回すハンドル１０と、スプロケット１２、１３と、スプロケット２０、２１と、ウエイト２２と、チェーン１４、２３、２４から構成される。【００１５】  スプロケット２０は支柱１の内部の上方に、スプロケット２１は下方にそれぞれ取り付けられ、ガイドブロック３の側面から突出したフレームの上方端にチェーン２３の一端が固着され、チェーン２３はスプロケット２０の上側に掛け回され、もう一端はウエイト２２の上方端に固着される。さらにガイドブロック３の側面から突出したフレームの下方端にチェーン２４の一端を固着し、チェーン２４はスプロケット２１の下側に掛け回され、もう一端はウエイト２２の下方端に固着される。ハンドル１０の軸とスプロケット１２は同軸で繋がれ、スプロケット１３とスプロケット２１も同軸で繋がれ、スプロケット１２とスプロケット１３はチェーン１４で掛け回される。【００１６】  また、バランス保持機構は、スプロケット３１・３１と、バランスチェーン３２で構成される。バランスチェーン３２はバランスをとる為のチェーンである。【００１７】  スプロケット３１・３１は、ガイドブロック３・３の支柱１・１内部側の下部にそれぞれ回転自在に固着され、支柱１の上方にバランスチェーン３２の一端が固着され、バランスチェーン３２はスプロケット３１の下方に掛け回し、もう一方側のスプロケット３１の上方に掛け回した後、���記支柱１とは別の支柱１の下方にもう一端が固着される。ここでは、スプロケット３１・３１はガイドブロック３・３の下部に取り付けたが、上部であっても、中程であっても、任意の位置でかまわない。【００１８】  さらに、動作の順をおって詳しく説明したい。【００１９】  まず、図１のように門扉４が下降し、閉じた状態とする。ハンドル１０を回すと、スプロケット１２が回され、チェーン１４を通して、スプロケット１３が回される。スプロケット１３が回されると、スプロケット２１が回り、門扉と左右合わせて同程度の重量を持つウエイト２２・２２によって、ガイドブロック３は軽く持ち上がる。もう一方のガイドブロック３も、バランス保持機構により、バランスチェーン３２を通して、同じく持ち上がる。こうして、ガイドブロック３に固着された門扉４は上昇し、任意の上昇端まで上昇すると、図示しないロック機構により、ロックされ門扉４は開いた状態となる。下降させる場合は、ロック機構を解除して、ハンドル１０を反対に回すと、門扉４は閉じる。【００２０】  なお、図１や図２で示した実施例は、あくまでも一実施例であり、この図により本発明が限定されるものではない。例えば、駆動機構や、バランス保持機構の説明では、チェーン部材を使用したが、ワイヤー部材も考えられるし、駆動機構も手動ではなく電動であってもよい。また、ハンドル１０を取り外し可能とし、左右両側の支柱１・１に駆動機構をそれぞれ設けて、どちらからでもハンドルを回せるようにしてもよい。
【図面の簡単な説明】
【００２１】
【図１】  本発明の昇降式門扉の正面図である。
【図２】  図１のＡ−Ａ平面断面図である。
【図３】  従来からの門型形状の支柱を有する昇降式門扉の正面図である。
【符号の説明】
１  支柱                            ２  ガイドレール
３  ガイドプロック                  ４  門扉
５  ガイドフレーム                  ６  ガイドローラ
７  ボルト・ナット                  ８  上部水平支柱
１０  ハンドル
１２  スプロケット                  １３  スプロケット
１４  チェーン
２０  スプロケット                  ２１  スプロケット
２２  ウエイト                      ２３  チェーン
２４  チェーン
３１  スプロケット                  ３２  バランスチェーン
【図１】
2005023768.tif 000003
【図２】
2005023768.tif 000004
【図３】
2005023768.tif 000005